【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
コンピュータを、
設定されたグループに属する複数の他のコンピュータを対象として、当該他のコンピュータにおける作業者の情報処理を示す作業概要情報をその情報処理が実行されたタイミングで取得する取得手段、
取得した作業概要情報を有限時間だけユーザに認識可能に出力する出力手段、
として機能させることを特徴とするワーカー作業状況出力プログラム。
【請求項２】
前記コンピュータは、画像を表示出力する表示部を備え、
前記プログラムは、前記出力手段を、表示部の一部の領域に作業概要情報に基づく画像を表示出力する表示出力手段として機能させることを特徴とする請求項１に記載のワーカー作業状況出力プログラム。
【請求項３】
前記表示出力手段を、ユーザがその時点で実行中の処理作業に係る画像表示出力との領域衝突を避けて作業概要情報の出力する手段として機能させることを特徴とする請求項２に記載のワーカー作業状況出力プログラム。
【請求項４】
前記表示出力手段を、所定時間経過後に表示出力した作業概要情報の表示を消去し、これにより作業概要情報の表示出力が有限時間に限定する手段として機能させることを特徴とする請求項２に記載のワーカー作業状況出力プログラム。
【請求項５】
前記表示出力手段を、新たに取得した作業概要情報をそれ以前に取得して表示出力した作業概要情報に上書きして表示出力をし、これにより作業概要情報の表示出力を有限時間に限定する手段として機能させることを特徴とする請求項２に記載のワーカー作業状況出力プログラム。
【請求項６】
前記作業概要情報は、ワーカーの情報処理に係るファイルのサムネイルを含み、
前記プログラムは、前記表示出力手段を、少なくともこのサムネイルを表示出力する手段として機能させることを特徴とする請求項２に記載のワーカー作業状況出力プログラム。
【請求項７】
前記作業概要情報は、ワーカーを特定する情報を含み、
前記プログラムは、前記表示出力手段を、少なくともこのワーカーを表現する画像を表示出力する手段として機能させることを特徴とする請求項２に記載のワーカー作業状況出力プログラム。
【請求項８】
前記作業概要情報は、ワーカーの情報処理過程を簡潔に表現する文字情報を含み、
前記プログラムは、前記表示出力手段を、少なくともこの文字情報に対応する文字画像を表示出力する手段として機能させることを特徴とする請求項２に記載のワーカー作業状況出力プログラム。
【請求項９】
さらに、前記コンピュータを、表示出力された画像がユーザ指定された場合に、対応するワーカーへのメッセージの発信処理を開始するメッセージ発信手段として機能させることを特徴とする請求項２に記載のワーカー作業状況出力プログラム。
【請求項１０】
さらに、前記コンピュータを、表示出力されたサムネイルがユーザ指定された場合に、前記ファイルの取得処理を開始するファイル取得手段として機能させることを特徴とする請求項６に記載のワーカー作業状況出力プログラム。
【請求項１１】
前記情報処理は、ネットワーク処理操作に係る情報処理である、ことを特徴とする請求項１に記載のワーカー作業状況出力プログラム。
【請求項１２】
設定されたグループに属する複数の他のコンピュータを対象として、当該他のコンピュータにおける作業者の情報処理を示す作業概要情報をその情報処理が実行されたタイミングで取得する取得手段と、
取得した作業概要情報を有限時間だけユーザに認識可能に出力する出力手段と、
を備える、ことを特徴とするワーカー作業状況出力装置。
【請求項１３】
コンピュータが実行する方法であって、
前記コンピュータが備える取得手段が、設定されたグループに属する複数の他のコンピュータを対象として、当該他のコンピュータにおける作業者の情報処理を示す作業概要情報をその情報処理が実行されたタイミングで取得する取得ステップと、
前記コンピュータが備える出力手段が、取得した作業概要情報を有限時間だけユーザに認識可能に出力する出力ステップと、
を含む、ことを特徴とするワーカー作業状況出力方法。
【手続補正２】
【補正対象書類名】明細書
【補正対象項目名】０００８
【補正方法】変更
【補正の内容】
【０００８】
本発明のワーカー作業状況出力プログラムの一態様においては、コンピュータを、設定されたグループに属する複数の他のコンピュータを対象として、当該他のコンピュータにおける作業者の情報処理を示す作業概要情報をその情報処理が実行されたタイミングで取得する取得手段、取得した作業概要情報を有限時間だけユーザに認識可能に出力する出力手段、として機能させる。
本発明のワーカー作業状況出力プログラムの一態様においては、前記コンピュータは、画像を表示出力する表示部を備え、前記プログラムは、前記出力手段を、表示部の一部の領域に作業概要情報に基づく画像を表示出力する表示出力手段として機能させる。
本発明のワーカー作業状況出力プログラムの一態様においては、前記表示出力手段を、ユーザがその時点で実行中の処理作業に係る画像表示出力との領域衝突を避けて作業概要情報の出力する手段として機能させる。
本発明のワーカー作業状況出力プログラムの一態様においては、前記表示出力手段を、所定時間経過後に表示出力した作業概要情報の表示を消去し、これにより作業概要情報の表示出力が有限時間に限定する手段として機能させる。
本発明のワーカー作業状況出力プログラムの一態様においては、前記表示出力手段を、新たに取得した作業概要情報をそれ以前に取得して表示出力した作業概要情報に上書きして表示出力をし、これにより作業概要情報の表示出力を有限時間に限定する手段として機能させる。
本発明のワーカー作業状況出力プログラムの一態様においては、前記作業概要情報は、ワーカーの情報処理に係るファイルのサムネイルを含み、前記プログラムは、前記表示出力手段を、少なくともこのサムネイルを表示出力する手段として機能させる。
本発明のワーカー作業状況出力プログラムの一態様においては、前記作業概要情報は、ワーカーを特定する情報を含み、前記プログラムは、前記表示出力手段を、少なくともこのワーカーを表現する画像を表示出力する手段として機能させる。
本発明のワーカー作業状況出力プログラムの一態様においては、前記作業概要情報は、ワーカーの情報処理過程を簡潔に表現する文字情報を含み、前記プログラムは、前記表示出力手段を、少なくともこの文字情報に対応する文字画像を表示出力する手段として機能させる。
本発明のワーカー作業状況出力プログラムの一態様においては、さらに、前記コンピュータを、表示出力された画像がユーザ指定された場合に、対応するワーカーへのメッセージの発信処理を開始するメッセージ発信手段として機能させる。
本発明のワーカー作業状況出力プログラムの一態様においては、さらに、前記コンピュータを、表示出力されたサムネイルがユーザ指定された場合に、前記ファイルの取得処理を開始するファイル取得手段として機能させる。
本発明のワーカー作業状況出力プログラムの一態様においては、前記情報処理は、ネットワーク処理操作に係る情報処理である。
本発明のワーカー作業状況出力装置の一態様においては、設定されたグループに属する複数の他のコンピュータを対象として、当該他のコンピュータにおける作業者の情報処理を示す作業概要情報をその情報処理が実行されたタイミングで取得する取得手段と、取得した作業概要情報を有限時間だけユーザに認識可能に出力する出力手段と、を備える。
本発明のワーカー作業状況出力方法の一態様においては、コンピュータが実行する方法であって、前記コンピュータが備える取得手段が、設定されたグループに属する複数の他のコンピュータを対象として、当該他のコンピュータにおける作業者の情報処理を示す作業概要情報をその情報処理が実行されたタイミングで取得する取得ステップと、前記コンピュータが備える出力手段が、取得した作業概要情報を有限時間だけユーザに認識可能に出力する出力ステップと、を含む。
なお、この段落における以下の記載と、［０００９］段落から［００２４］段落までの記載は、出願当初の［特許請求の範囲］に対応する記載であり、補正後の［特許請求の範囲］に記載された発明においても参考となる記載である。
本発明のワーカー作業状況出力プログラムは、コンピュータにおいて実行されるプログラムであって、設定されたグループに属する複数の他のコンピュータを対象として、当該他のコンピュータにおける作業者の情報処理を示す作業概要情報をその情報処理が実行されたタイミングで取得する取得手順と、取得した作業概要情報を有限時間だけユーザに認識可能に出力する出力手順と、を含む。